(57)【要約】【課題】基板とフレキシブル配線基板とを適切に接合することが可能な表示装置を提供すること。【解決手段】透明基板１Ａと、透明基板１Ａに並列配置された複数の帯状部２２Ａ，２２Ｂからなる端子部２１Ａ，２１Ｂを有するアノード電極２１Ａおよびカソード電極２１Ｂと、端子部２１Ａ，２１Ｂに対して異方性導電樹脂を介して接合されたフレキシブル配線基板と、を備える有機ＥＬ表示装置Ａであって、複数の帯状部２２Ａ，２２Ｂのうち並列方向ｘ中央寄りに位置する複数の帯状部２２Ａは、その幅ｗ１が並列方向ｘ端寄りに位置する複数の帯状部２２Ｂの幅ｗ２よりも小とされている。【選択図】  図２
2008003114.tif 000002
【特許請求の範囲】
【請求項１】
透明基板と、
上記透明基板に並列配置された複数の帯状部からなる端子部を有する電極と、
上記端子部に対して異方性導電樹脂を介して接合されたフレキシブル配線基板と、
を備える表示装置であって、
上記複数の帯状部のうち並列方向中央寄りに位置するものは、その幅が上記複数の帯状部のうち並列方向端寄りに位置するものの幅よりも小とされていることを特徴とする、表示装置。
【請求項２】
上記複数の帯状部のうち並列方向中央寄りにおいて互いに隣り合うものどうしの配列ピッチは、上記複数の帯状部のうち並列方向端寄りにおいて互いに隣り合うものどうしの配列ピッチよりも小とされている、請求項１に記載の表示装置。
【請求項３】
上記複数の帯状部に対して上記複数の帯状部の配列方向外方に配置されており、上記複数の帯状部と同一の材質からなり、上記電極には電気的に属さない１以上の追加の帯状部を備えており、
上記追加の帯状部は、その幅が上記複数の帯状部のうちもっとも幅が狭いものの幅以下とされている、請求項１または２に記載の表示装置。
【発明の詳細な説明】
【技術分野】
【０００１】
本発明は、たとえば有機ＥＬ表示装置などの表示装置に関する。
【背景技術】
【０００２】
有機ＥＬ表示装置をはじめとして、マトリクス状に配置された複数の画素によって所望の画像を表示する表示装置が広く普及している。図５は、従来の有機ＥＬ表示装置の一例を示している。同図に示された有機ＥＬ表示装置Ｘは、１対の基板９１Ａ，９１Ｂと、アノード電極９２Ａおよびカソード電極９２Ｂとを備えている。アノード電極９２Ａおよびカソード電極９３Ａは、画素形成部９４Ａ，９４Ｂを有している。画素形成部９４Ａ，９４Ｂは、それぞれ並列配置された複数の帯状部からなる。これらの画素形成部９４Ａ，９４Ｂどうしの交差部分には、有機層が挟まれている。これらの交差部分は、表示領域９５内においてマトリクス状に配置された複数の画素を構成している。また、アノード電極９２Ａおよびカソード電極９２Ｂは、それぞれ端子部９３Ａ，９３Ｂを有している。端子部９３Ａ，９３Ｂは、それぞれ方向ｘにおいて並列に配置された複数の帯状部からなる。これらの帯状部は、互いに等しい幅とされ、一定の配列ピッチで配置されている。端子部９３Ａ，９３Ｂは、異方性導電フィルム（図示略）を介してフレキシブル配線基板（図示略）に接合される。
【０００３】
しかしながら、上記異方性導電フィルムを用いて上記フレキシブル配線基板を接合する工程においては、上記フレキシブル配線基板越しに上記異方性導電性フィルムに対して加熱と加圧とがなされる。このため、上記フレキシブル配線基板が伸びてしまい、上記フレキシブル配線基板に形成された配線パターン（図示略）の配列ピッチが不揃いとなる。このようなことでは、上記配線パターンが端子部９３Ａ，９３Ｂを構成する上記複数の帯状部に対してずれることとなり、アノード電極９２Ａおよびカソード電極９２Ｂと上記フレキシブル配線基板とを適切に導通させることが阻害されていた。また、上記フレキシブル配線基板が伸びてしまった状態では、上記フレキシブル配線基板と基板９１Ａとを位置合わせすることが困難であった。
【０００４】
【特許文献１】特開２０００−１１４６７７号公報
【発明の開示】
【発明が解決しようとする課題】
【０００５】
本発明は、上記した事情のもとで考え出されたものであって、基板とフレキシブル配線基板とを適切に接合することが可能な表示装置を提供することをその課題とする。
【課題を解決するための手段】
【０００６】
本発明によって提供される表示装置は、透明基板と、上記透明基板に並列配置された複数の帯状部からなる端子部を有する電極と、上記端子部に対して異方性導電樹脂を介して接合されたフレキシブル配線基板と、を備える表示装置であって、上記複数の帯状部のうち並列方向中央寄りに位置するものは、その幅が上記複数の帯状部のうち並列方向端寄りに位置するものの幅よりも小とされていることを特徴としている。
【０００７】
このような構成によれば、上記フレキシブル配線基板を上記透明基板に接合するときの加熱および加圧処理によって上記フレキシブル配線基板が伸びてしまっても、上記複数の帯状部のうち上記並列方向端寄りにあるものは比較的広幅であるため、上記フレキシブル配線基板に形成された配線パターンと重なり合わせることが可能である。したがって、上記フレキシブル配線基板と上記電極とを適切に導通させることができる。
【０００８】
本発明の好ましい実施の形態においては、上記複数の帯状部のうち並列方向中央寄りにおいて互いに隣り合うものどうしの配列ピッチは、上記複数の帯状部のうち並列方向端寄りにおいて互いに隣り合うものどうしの配列ピッチよりも小とされている。このような構成によれば、上記フレキシブル配線基板が加熱および加圧によって上記並列方向端寄りの部分ほど伸びたとしても、上記フレキシブル配線基板の配線パターンと上記複数の帯状部のうち上記配列方向端寄りに位置するものとを良好に重ね合わせることが可能である。したがって、上記フレキシブル配線基板と上記電極とを導通させるのに好適である。
【０００９】
本発明の好ましい実施の形態においては、上記複数の帯状部に対して上記複数の帯状部の配列方向外方に配置されており、上記複数の帯状部と同一の材質からなり、上記電極には電気的に属さない１以上の追加の帯状部を備えており、上記追加の帯状部は、その幅が上記複数の帯状部のうちもっとも幅が狭いものの幅以下とされている。このような構成によれば、上記フレキシブル配線基板と上記透明基板とを正確に位置合わせすることが可能である。
【００１０】
本発明のその他の特徴および利点は、添付図面を参照して以下に行う詳細な説明によって、より明らかとなろう。
【発明を実施するための最良の形態】
【００１１】
以下、本発明の好ましい実施の形態につき、図面を参照して具体的に説明する。
【００１２】
図１〜図４は、本発明に係る表示装置の一例を示している。本実施形態の有機ＥＬ表示装置Ａは、透明基板１Ａ、封止基板１Ｂ、アノード電極２Ａ、カソード電極２Ｂ、ダミー電極３、異方性導電フィルム４、およびフレキシブル配線基板５を備えている。なお、図１および図２においては、説明の便宜上異方性導電フィルム４およびフレキシブル配線基板５を省略している。
【００１３】
透明基板１Ａは、たとえばガラス製であり、アノード電極２Ａ、カソード電極２Ｂ、ダミー電極３、および有機層（図示略）を支持するためのものである。本実施形態においては、透明基板１Ａは、矩形状とされている。透明基板１Ａの図中下面は、有機ＥＬ表示装置Ａの表示領域１０とされている。すなわち、有機ＥＬ表示装置Ａは、透明基板１Ａを透して光を出射する、いわゆるボトムエミッション型として構成されている。
【００１４】
封止基板１Ｂは、たとえばガラス製であり、アノード電極２Ａ、カソード電極２Ｂ、ダミー電極３、および上記有機層を保護するためのものである。封止基板１Ｂは、矩形状とされており、方向ｘに垂直な方向における寸法が透明基板１Ａよりも小とされている。
【００１５】
アノード電極２Ａは、上記有機層に対してホールを供給するためのものであり、画素形成部２３Ａと端子部２１Ａとを有している。画素形成部２３Ａは、それぞれが方向ｘと垂直な方向に延びる複数の帯状部によって構成されており、たとえばＩＴＯからなることにより透明な部分とされている。端子部２１Ａは、透明基板１Ａの一端縁寄り部分において、方向ｘ中央寄りに配置されている。図２に示すように、端子部２１Ａは、複数の帯状部２２Ａによって構成されている。複数の帯状部２２Ａは、それぞれが方向ｘと垂直な方向に延びており、方向Ｘに沿って並列配置されている。帯状部２２Ａは、たとえばＡｌ、Ａｇ、Ｍｏ、Ｃｒからなる。端子部２１Ａは、図３に示すように、異方性導電フィルム４を介してフレキシブル配線基板５に接合される部分である。
【００１６】
カソード電極２Ｂは、上記有機層に対して電子を供給するためのものであり、画素形成部２３Ｂと端子部２１Ｂとを有している。画素形成部２３Ｂは、それぞれが方向ｘに延びる帯状部によって構成されており、たとえばＡｌなどの比較的反射率が高い金属からなる。端子部２１Ｂは、透明基板１Ａの一端縁寄り部分において、方向ｘ両端寄りに配置されており、端子部２１Ａを挟んだ格好とされている。図２に示すように、端子部２１Ｂは、複数の帯状部２２Ｂによって構成されている。複数の帯状部２２Ｂは、それぞれが方向ｘと垂直な方向に延びており、方向ｘに沿って並列配置されている。帯状部２２Ｂは、たとえばＡｌ、Ａｇ、Ｍｏ、Ｃｒからなる。端子部２１Ｂは、端子部２１Ａと同様に、異方性導電フィルム４を介してフレキシブル配線基板５に接合される部分である。
【００１７】
画素形成部２３Ａと画素形成部２３Ｂとの交差部分には、上記有機層が挟まれている。この有機層は、アノード電極２Ａからのホールとカソード電極２Ｂからの電子とが供給されることにより、所定の波長の光を発するものである。これにより、画素形成部２３Ａと画素形成部２３Ｂとの交差部分が、画素を構成している。上記有機層は、たとえばホール注入層、ホール輸送層、発光層、電子輸送層、および電子注入層が積層された構造となっている。
【００１８】
ダミー電極３は、透明基板１Ａの一端縁寄り部分において、方向ｘ両端縁付近に配置されている。ダミー電極３は、フレキシブル配線基板５を透明基板１Ａに接合するときに、フレキシブル配線基板５と透明基板１Ａとを位置あわせするために利用されるものであり、アノード電極２Ａおよびカソード電極２Ｂとは導通していない。図２に示すように、ダミー電極３は、複数の帯状部３１によって構成されている。帯状部３１は、方向ｘに垂直な方向に延びており、複数の帯状部２２Ａ，２２Ｂと同一の素材であるＡｌ、Ａｇ、Ｍｏ、Ｃｒなどによって形成されている。
【００１９】
図２に示すように、複数の帯状部２２Ａ，２２Ｂ，３１は、方向Ｘにおいて並列配置されている。複数の帯状部２２Ａは、一定の配列ピッチｐ１で配置されている。複数の帯状部２２Ｂは、一定の配列ピッチｐ２で配置されている。複数の帯状部３１は、一定の配列ピッチｐ３で配列されている。本実施形態においては、配列ピッチｐ１は、配列ピッチｐ２よりも小とされている。そして、配列ピッチｐ３は、配列ピッチｐ１以下とされている。また、帯状部２２Ａの幅ｗ１は、帯状部２２Ｂの幅ｗ２よりも小とされており、帯状部３１の幅ｗ３は、帯状部２２Ａの幅ｗ２以下とされている。
【００２０】
異方性導電フィルム４は、絶縁性の樹脂に導電性を有する多数の微粒子が混入されたものであり、フレキシブル配線基板５を透明基板１Ａに対して接合するとともに、フレキシブル配線基板５とアノード電極２Ａおよびカソード電極２Ｂとを導通させるためのものである。異方性導電フィルム４は、本発明で言う異方性導電樹脂の一例であり、加熱および加圧を施すことにより、硬化する性質を有する。
【００２１】
フレキシブル配線基板５は、有機ＥＬ表示装置Ａに対して機外から電源供給および表示指令信号の送信を行うためのものであり、樹脂層５１と配線パターン５２とからなる。樹脂層５１は、たとえばポリイミド樹脂製であり、可撓性を有する。
【００２２】
配線パターン５２は、Ｃｕ、Ａｌなどの金属膜がパターニングされたものである。図３および図４に示すように、配線パターン５２は、端子部２１Ａ，２１Ｂと対向する複数の帯状部を有している。これらの帯状部は、フレキシブル配線基板５が透明基板１Ａに接合される前の状態で、基本的には複数の帯状部２２Ａと同じ配列ピッチｐ１で並列配置されている。例外として、配線パターン５２の複数の帯状部のうち方向ｘ両端寄りに位置するもの（図４においては左方の３つの帯状部）は、ダミー電極３の複数の帯状部３１と同じ配列ピッチｐ３で並列配置されている。
【００２３】
フレキシブル配線基板５には、駆動ＩＣ６が搭載されている。駆動ＩＣ６は、フレキシブル配線基板５を介して機外から送信された表示指令にしたがって、アノード電極２Ａおよびカソード電極２Ｂを用いたパッシブマトリクス制御により、表示領域１０に所望の画像を表示させる制御を行うものである。
【００２４】
次に、有機ＥＬ表示装置の作用について説明する。
【００２５】
図４に示すように、フレキシブル配線基板５を透明基板１Ａに接合するときには、フレキシブル配線基板５を介して異方性導電フィルム４に対して加熱および加圧を行う。これは、異方性導電フィルム４を硬化させるためである。この加熱および加圧により、フレキシブル配線基板５は、方向ｘにおいて伸ばされる。このため、配線パターン５２の複数の帯状部の配列ピッチが、方向ｘ両端寄りに位置するものほど大となる。本実施形態によれば、配線パターン５２の複数の帯状部のうち方向ｘ中央寄りに位置するものは、配列ピッチがほとんど大きくならないため、比較的小さい配列ピッチｐ１で配列された細い幅ｗ１の複数の帯状部２２Ａと良好に重なり合う。一方、配線パターン５２の複数の帯状部のうち方向ｘ両端寄りに位置するものは、配列ピッチの拡大が顕著であるため、比較的大きい配列ピッチｐ２で配列された太い幅Ｗ２の複数の帯状部２２Ｂと良好に重なり合う。したがって、フレキシブル配線基板５の配線パターン５とアノード電極２Ａおよびカソード電極２Ｂとを適切に導通させることができる。
【００２６】
本実施形態においては、表示領域１０に画像を表示させるために、カソード電極２Ｂの画素形成部２３Ｂに対して所定の周波数で走査を行い、この走査に応じてアノード電極２Ａの画素形成部２３Ａを構成する複数の帯状部を選択的に導通させる。このため、カソード電極２Ｂの帯状部２２Ｂに流れる電流は、アノード電極２Ａの帯状部２２Ａに流れる電流の数百倍となる。帯状部２２Ｂの幅ｗ２が帯状部２２Ａの幅ｗ１よりも大であるため、帯状部２２Ｂの電気抵抗は、帯状部２２Ａの電気抵抗よりも小である。したがって、帯状部２２Ｂに流れる比較的大きな電流が不当にジュール熱となって散逸することを防止可能であり、省電力化を図ることができる。
【００２７】
また、フレキシブル配線基板５を透明基板１Ａに接合するときには、透明基板１Ａに形成されたダミー電極３とフレキシブル配線基板５の配線パターン５２に含まれる複数の帯状部のうち方向ｘ両端寄りに位置するものとを重なり合わせれば、フレキシブル配線基板５と透明基板１Ａとを正確に位置合わせすることができる。この位置あわせは、透明基板１Ａを透して、複数の帯状部３１と配線パターン５２の帯状部のうち複数の帯状部３１と対向するものが重なり合うことを目視することによって簡単に確認できる。複数の帯状部３１と配線パターン５２の帯状部のうち複数の帯状部３１と対向するものとは、いずれも配列ピッチｐ３で配置されている。この配列ピッチｐ３は、比較的密に配列された複数の帯状部２２Ａの配列ピッチｐ１以下とされている。したがって、アノード電極２Ａおよびカソード電極２Ｂの複数の帯状部２２Ａ，２２Ｂとフレキシブル配線基板５の配線パターン５２に含まれれる複数の帯状部とを正確に位置決めすることができる。
【００２８】
本発明に係る表示装置は、上述した実施形態に限定されるものではない。本発明に係る表示装置の各部の具体的な構成は、種々に設計変更自在である。
【００２９】
ダミー電極３を複数の帯状部３１によって構成すれば、フレキシブル配線基板５と透明基板１Ａとの位置合わせに有利であるが、本発明はこれに限定されず、１つだけの帯状部３１からなるダミー電極３を備える構成であっても、その幅ｗ３をアノード電極２Ａの帯状部２２Ａの幅ｗ１以下とすれば、正確な位置決めを行うことができる。上述した有機ＥＬ表示装置は、本発明に係る表示装置の一例であり、液晶表示装置など様々な表示装置に本発明を適用することができる。
【図面の簡単な説明】
【００３０】
【図１】本発明に係る有機ＥＬ表示装置の一例を示す要部平面図である。
【図２】本発明に係る有機ＥＬ表示装置の一例を示す要部拡大平面図である。
【図３】図２のＩＩＩ−ＩＩＩ線に沿う要部断面図である。
【図４】図２のＩＶ−ＩＶ線に沿う要部断面図である。
【図５】従来の表示装置の一例を示す要部平面図である。
【符号の説明】
【００３１】
Ａ          有機ＥＬ表示装置
ｐ１，ｐ２，ｐ３  配列ピッチ
ｗ１，ｗ２，ｗ３  幅
ｘ          （並列）方向
１Ａ        透明基板
１Ｂ        封止基板
２          電極
２Ａ        アノード電極
２Ｂ        カソード電極
３          ダミー電極
４          異方性導電フィルム
５          フレキシブル配線基板
６          駆動ＩＣ
１０        表示領域
２１Ａ，２１Ｂ  端子部
２２Ａ，２２Ｂ  帯状部
２３Ａ，２３Ｂ  画素形成部
３１        帯状部
５１        樹脂層
５２        配線パターン
【図１】
2008003114.tif 000003
【図２】
2008003114.tif 000004
【図３】
2008003114.tif 000005
【図４】
2008003114.tif 000006
【図５】
2008003114.tif 000007